【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
複数の無線ネットワークの生成装置であって、
第１の無線ネットワークを生成し、該第１の無線ネットワークを介して情報の送受信を行う第１の通信手段と、
前記第１の無線ネットワークとは異なる第２の無線ネットワークを生成し、該第２の無線ネットワークを介して情報の送受信を行う第２の通信手段と、
前記生成装置との接続を確立した外部機器が前記第１の無線ネットワーク及び前記第２の無線ネットワークのいずれを介して接続しているかを判断する判断手段と、
所定のアプリケーションを用いた機能を前記外部機器が利用できるよう制御する制御手段と、を有し、
前記制御手段は、前記判断手段による判断結果に応じて、前記所定のアプリケーションを用いて前記外部機器が利用できる機能を異ならせるよう制御する
ことを特徴とする生成装置。
【請求項２】
前記生成装置は、前記第１の無線ネットワーク及び前記第２の無線ネットワークを並行して生成することが可能であることを特徴とする請求項１に記載の生成装置。
【請求項３】
撮像手段をさらに有し、
前記所定のアプリケーションを用いた機能は、前記撮像手段による撮影、前記撮像手段により撮影された画像の閲覧、前記撮像手段により得られた画像の編集、及び前記生成装置の設定変更の少なくともいずれかである
ことを特徴とする請求項１または２に記載の生成装置。
【請求項４】
前記制御手段は、
前記判断手段により前記外部機器が前記第１の無線ネットワークを介して接続していると判断された場合、所定の機能を該外部機器が利用できるよう制御し、
前記判断手段により前記外部機器が前記第２の無線ネットワークを介して接続していると判断された場合、前記所定の機能よりも少ない、少なくとも１つの機能を該外部機器が利用できるよう制御する
ことを特徴する請求項１乃至３のいずれか１項に記載の生成装置。
【請求項５】
前記制御手段は、前記判断手段により前記外部機器が前記第２の無線ネットワークを介して接続していると判断された場合、前記所定の機能の一部を制限するよう制御することを特徴とする請求項４に記載の生成装置。
【請求項６】
前記所定の機能は、少なくとも前記生成装置の設定を変更する機能を含み、
前記制御手段は、前記判断手段により前記外部機器が前記第２の無線ネットワークを介して接続していると判断された場合、前記生成装置の設定を変更する機能の利用を制限する
ことを特徴とする請求項４または５に記載の生成装置。
【請求項７】
前記所定の機能は、少なくとも前記生成装置が有する画像を閲覧する機能を含み、
前記制御手段は、前記判断手段により前記外部機器が前記第２の無線ネットワークを介して接続していると判断された場合、前記生成装置が有する画像を閲覧する機能の利用を制限しない
ことを特徴とする請求項４乃至６のいずれか１項に記載の生成装置。
【請求項８】
前記第１の無線ネットワークは接続に暗号認証を必要とし、前記第２の無線ネットワークは接続に暗号認証を必要としない
ことを特徴とする請求項１乃至７のいずれか１項に記載の生成装置。
【請求項９】
前記第１の無線ネットワークの識別情報は固定であり、前記第２の無線ネットワークの識別情報は、前記第２の無線ネットワークが生成される度に変更されることを特徴とする請求項１乃至８のいずれか１項に記載の生成装置。
【請求項１０】
前記生成装置は、アクセスポイントとして動作することで前記第１の無線ネットワーク及び前記第２の無線ネットワークを生成することを特徴とする請求項１乃至９のいずれか１項に記載の生成装置。
【請求項１１】
前記第１の通信手段は、外部機器にアクセスポイントを検出可能にさせる信号を送信せず、
前記第２の通信手段は、外部機器にアクセスポイントを検出可能にさせる信号を送信する
ことを特徴とする請求項１０に記載の生成装置。
【請求項１２】
前記第１の通信手段による前記第１の無線ネットワークの生成と前記第２の通信手段による前記第２の無線ネットワークの生成とは、異なるタイミングで行われることを特徴とする請求項１乃至１１のいずれか１項に記載の生成装置。
【請求項１３】
前記第１の通信手段は、無線通信機能を有効にする操作がなされた際に前記第１の無線ネットワークを生成し、
前記第２の通信手段は、前記第２の無線ネットワークの生成を開始する操作がなされた際に前記第２の無線ネットワークを生成する
ことを特徴とする請求項１乃至１２のいずれか１項に記載の生成装置。
【請求項１４】
前記第１の通信手段または前記第２の通信手段により、前記接続を確立した外部機器に対して提供する機能についての制御要求が受信された場合に、該機能の動作に応じた応答を前記制御要求を送信した外部機器に送信する送信手段をさらに有することを特徴とする請求項１乃至１３のいずれか１項に記載の生成装置。
【請求項１５】
複数の無線ネットワークの生成装置の制御方法であって、
前記生成装置は、第１の無線ネットワークを生成し、該第１の無線ネットワークを介して情報の送受信を行う第１の通信手段と、前記第１の無線ネットワークとは異なる第２の無線ネットワークを生成し、該第２の無線ネットワークを介して情報の送受信を行う第２の通信手段と、を有し、
前記制御方法は、
前記生成装置との接続を確立した外部機器が前記第１の無線ネットワーク及び前記第２の無線ネットワークのいずれを介して接続しているかを判断する判断工程と、
所定のアプリケーションを用いた機能を前記外部機器が利用できるよう制御する制御工程と、を有し、
前記制御工程において、前記判断工程における判断結果に応じて、前記所定のアプリケーションを用いて前記外部機器が利用できる機能を異ならせるよう制御される
ことを特徴とする生成装置の制御方法。
【請求項１６】
コンピュータを、請求項１乃至１４のいずれか１項に記載の生成装置の各手段として機能させるためのプログラム。
【手続補正２】
【補正対象書類名】明細書
【補正対象項目名】発明の名称
【補正方法】変更
【補正の内容】
【発明の名称】生成機器、制御方法、及びプログラム
【手続補正３】
【補正対象書類名】明細書
【補正対象項目名】０００１
【補正方法】変更
【補正の内容】
【０００１】
本発明は、生成機器、制御方法、及びプログラムに関し、特に無線通信のアクセスポイントとして動作する情報通信機器に関する。
【手続補正４】
【補正対象書類名】明細書
【補正対象項目名】０００７
【補正方法】変更
【補正の内容】
【０００７】
本発明は、上述の問題点に鑑みてなされたものであり、外部機器に対して提供する機能を容易に設定可能な生成装置、制御方法、及びプログラムを提供することを目的とする。
【手続補正５】
【補正対象書類名】明細書
【補正対象項目名】０００８
【補正方法】変更
【補正の内容】
【０００８】
前述の目的を達成するために、本発明の生成装置は、以下の構成を備えることを特徴とする。具体的には生成装置は、複数の無線ネットワークの生成装置であって、第１の無線ネットワークを生成し、該第１の無線ネットワークを介して情報の送受信を行う第１の通信手段と、第１の無線ネットワークとは異なる第２の無線ネットワークを生成し、該第２の無線ネットワークを介して情報の送受信を行う第２の通信手段と、生成装置との接続を確立した外部機器が第１の無線ネットワーク及び第２の無線ネットワークのいずれを介して接続しているかを判断する判断手段と、所定のアプリケーションを用いた機能を外部機器が利用できるよう制御する制御手段と、を有し、制御手段は、判断手段による判断結果に応じて、所定のアプリケーションを用いて外部機器が利用できる機能を異ならせるよう制御することを特徴とする。